(57)【要約】  本発明は、端末、タッチ認識方法、装置及び電子機器に関する。端末は、超音波発信器、超音波信号チャンネル及びマイクロフォンを備え、前記超音波発信器は、前記端末の内部に設置され、前記端末のサイドフレームに第１の穴が設置され、前記第１の穴は、前記マイクロフォンを収容するためのものであり、前記超音波発信器により発信された超音波信号は、前記超音波信号チャンネルを経由して前記端末の内部から前記端末の表面に導出され、前記マイクロフォンは、前記超音波信号の超音波エコー信号を収集し、かつ前記超音波エコー信号に基づいて前記端末がタッチされたか否かを決定する。本発明の技術案は、超音波発信器がカバーガラスのスペースを占めることを避け、端末が外観の設計の点で美感をさらに向上させることを確保することができる。
2019537777.tif 000002
【特許請求の範囲】
【請求項１】
端末であって、
前記端末は、超音波発信器、超音波信号チャンネル及びマイクロフォンを備え、
前記超音波発信器は、前記端末の内部に設置され、前記端末のサイドフレームに第１の穴が設置され、前記第１の穴は、前記マイクロフォンを収容するためのものであり、
前記超音波発信器により発信された超音波信号は、前記超音波信号チャンネルを経由して前記端末の内部から前記端末の表面に導出され、
前記マイクロフォンは、前記超音波信号の超音波エコー信号を収集し、かつ前記超音波エコー信号に基づいて前記端末がタッチされたか否かを決定する、
ことを特徴とする端末。
【請求項２】
前記端末は、パッドと、サイドフレームと、プリント配線基板と、表示モジュールとをさらに備え、
前記サイドフレームは、前記端末の一側に設置され、
前記超音波信号チャンネルは、前記パッドに第２の穴を開けて形成され、前記超音波信号チャンネルは、前記超音波発信器が位置する位置から前記サイドフレームに延在し、
前記パッドの一方の側面は、前記プリント配線基板に貼り合せ、前記パッドの他方の側面は、前記表示モジュールに貼り合せる、
ことを特徴とする請求項１に記載の端末。
【請求項３】
前記パッドには、前記超音波発信器が位置する位置に収容チャンバが開けて設けられ、前記収容チャンバは、前記超音波発信器を収容するためのものであり、前記収容チャンバの形状は、前記超音波発信器の形状と一致する、
ことを特徴とする請求項２に記載の端末。
【請求項４】
前記サイドフレームと前記表示モジュールのホルダーとの間、及び前記サイドフレームと前記端末のカバーガラスの端部との間にギャップが形成され、前記超音波信号チャンネルは、前記ギャップと連通する、
ことを特徴とする請求項２に記載の端末。
【請求項５】
前記ギャップの幅は、０．０１ｍｍ〜０．０４ｍｍである、
ことを特徴とする請求項４に記載の端末。
【請求項６】
タッチ認識方法であって、
前記方法は、
超音波発信器により発信された超音波信号を超音波信号チャンネルを経由して端末の内部から前記端末の表面に導出するように制御するステップと、
マイクロフォンが前記超音波信号の超音波エコー信号を受信するように制御するステップと、
前記超音波エコー信号に基づいて前記端末がタッチされたか否かを決定するステップと、を含む、
ことを特徴とするタッチ認識方法。
【請求項７】
前記超音波発信器により発信された超音波信号を超音波信号チャンネルを経由して前記端末の内部から前記端末の表面に導出するように制御するステップは、
超音波発信器により発信された超音波信号を超音波信号チャンネルを経由して端末のサイドフレームと前記端末の表示モジュールのホルダーとの間のギャップに導通するように制御するステップと、
前記ギャップを経由して前記超音波信号を前記端末の表面に導通するステップと、を含む、
ことを特徴とする請求項６に記載の方法。
【請求項８】
前記超音波エコー信号に基づいて前記端末がタッチされたか否かを決定するステップは、
前記超音波エコー信号の振幅値を決定するステップと、
前記超音波エコー信号の振幅値に基づいて前記超音波エコー信号のエネルギー値を決定するステップと、
前記エネルギー値に基づいて前記端末がタッチされたか否かを決定するステップと、を含む、
ことを特徴とする請求項６に記載の方法。
【請求項９】
前記エネルギー値に基づいて前記端末がタッチされたか否かを決定するステップは、
前記エネルギー値を予め設定された閾値と比較するステップと、
前記エネルギー値が前記予め設定された閾値以上である場合に、前記端末がタッチされたと決定するステップと、
前記エネルギー値が前記予め設定された閾値よりも小さい場合に、前記端末が誤タッチされたと決定するステップと、を含む、
ことを特徴とする請求項８に記載の方法。
【請求項１０】
タッチ認識装置であって、
前記装置は、
超音波発信器により発信された超音波信号を超音波信号チャンネルを経由して端末の内部から前記端末の表面に導出するように制御するように構成される、第１の制御モジュールと、
マイクロフォンが前記超音波信号の超音波エコー信号を受信するように制御するように構成される、第２の制御モジュールと、
前記超音波エコー信号に基づいて前記端末がタッチされたか否かを決定するように構成される、決定モジュールと、を備える、
ことを特徴とするタッチ認識装置。
【請求項１１】
前記決定モジュールは、
前記超音波エコー信号の振幅値を決定するように構成される、第１の決定サブモジュールと、
前記第１の決定サブモジュールにより決定された前記超音波エコー信号の振幅値に基づいて、前記超音波エコー信号のエネルギー値を決定するように構成される、第２の決定サブモジュールと、
前記第２の決定サブモジュールにより決定された前記エネルギー値に基づいて、前記端末がタッチされたか否かを決定するように構成される、第３の決定サブモジュールと、を備える、
ことを特徴とする請求項１０に記載の装置。
【請求項１２】
前記第３の決定サブモジュールは、具体的に、
前記エネルギー値を予め設定された閾値と比較し、
前記エネルギー値が前記予め設定された閾値以上である場合に、前記端末がタッチされたと決定し、
前記エネルギー値が前記予め設定された閾値よりも小さい場合に、前記端末が誤タッチされたと決定する、ように構成される、
ことを特徴とする、請求項１１に記載の装置。
【請求項１３】
電子機器であって、前記電子機器は、
プロセッサと、
プロセッサが実行可能な命令を記憶するためのメモリと、を備え、
前記プロセッサは、
超音波発信器により発信された超音波信号を超音波信号チャンネルを経由して端末の内部から前記端末の表面に導出するように制御し、
マイクロフォンが前記超音波信号の超音波エコー信号を受信するように制御し、
前記超音波エコー信号に基づいて前記端末がタッチされたか否かを決定する、ように構成される、ことを特徴とする、電子機器。
【発明の詳細な説明】
【技術分野】
【０００１】
本発明は、電子技術分野に関し、特に、端末、タッチ認識方法、装置及び電子機器に関する。
【背景技術】
【０００２】
関連技術において、スマートフォンの誤タッチ防止機能を実現するために近接センサが一般的に必要となり、近接センサは、赤外光ダイオードとフォトダイオードとを含み、具体的な誤タッチ防止過程で、赤外光ダイオードにより赤外線光波を射出し、赤外線光波がユーザの顔または髪に当たる場合に、フォトダイオードに反射し、フォトダイオードは、光波信号を電気信号に変換して、フォトダイオード増幅器（Ｐｈｏｔｏ  Ｄｉｏｄｅ  Ａｍｐｌｉｆｉｅｒ）によりデジタル信号に変換し、デジタル信号に基づき手持ちモードでの通話であるか否かを認識し、さらにスマートフォンの表示画面をオンにするかまたはオフにするかを決定することにより、誤タッチ防止を実現する。赤外光ダイオードとフォトダイオードとの集積回路（ＩＣ）のいずれもスマートフォンのプリント配線基板（Ｐｒｉｎｔｅｄ  Ｃｉｒｃｕｉｔ  Ｂｏａｒｄ、ＰＣＢと略称される）に貼付する必要があり、またスマートフォンの表面のガラスに穴を開けなければならないため、表示画面のスペースを占める。
【発明の概要】
【発明が解決しようとする課題】
【０００３】
本発明の実施例は、関連技術に存在する課題を解決するために、端末、タッチ認識方法、装置及び電子機器を提供し、超音波発信器がカバーガラスのスペースを占めることを避け、端末が外観の設計の点で美感をさらに向上させることを確保することができる。
【課題を解決するための手段】
【０００４】
本発明の実施例に係る第１の態様によると、端末を提供し、前記端末は、超音波発信器、超音波信号チャンネル及びマイクロフォンとを備え、前記超音波発信器は、前記端末の内部に設置され、前記端末のサイドフレームに第１の穴が設置され、前記第１の穴は、前記マイクロフォンを収容するためのものであり、
前記超音波発信器により発信された超音波信号は、前記超音波信号チャンネルを経由して前記端末の内部から前記端末の表面に導出され、前記マイクロフォンは、前記超音波信号の超音波エコー信号を収集し、かつ前記超音波エコー信号に基づいて前記端末がタッチされたか否かを決定する。
【０００５】
一実施例において、前記装置は、パッドと、サイドフレームと、プリント配線基板と、表示モジュールとをさらに備え、前記サイドフレームは、前記端末の一側に設置され、前記超音波信号チャンネルは、前記パッドに第２の穴を開けて形成され、前記超音波信号チャンネルは、前記超音波発信器が位置する位置から前記サイドフレームに延在し、
前記パッドの一方の側面は、前記プリント配線基板に貼り合せ、前記パッドの他方の側面は、前記表示モジュールに貼り合せる。
【０００６】
一実施例において、前記パッドは、前記超音波発信器が位置する位置に収容チャンバが開けて設けられ、前記収容チャンバは、前記超音波発信器を収容するためのものであり、前記収容チャンバの形状は、前記超音波発信器の形状と一致する。
【０００７】
一実施例において、前記サイドフレームと、前記表示モジュールのホルダーとの間、及び前記サイドフレームと前記端末カバーガラスの端部との間にギャップが形成され、前記超音波信号チャンネルは、前記ギャップと連通する。
【０００８】
一実施例において、前記ギャップの幅は、０．０１ｍｍ〜０．０４ｍｍである。
【０００９】
本発明の実施例に係る第２の態様によると、タッチ認識方法を提供し、前記タッチ認識方法は、
超音波発信器により発信された超音波信号を超音波信号チャンネルを経由して端末の内部から前記端末の表面に導出するように制御するステップと、
マイクロフォンが前記超音波信号の超音波エコー信号を受信させるように制御するステップと、
前記超音波エコー信号に基づいて前記端末がタッチされたか否かを決定するステップと、を含む。
【００１０】
一実施例において、超音波信号チャンネルを経由して前記超音波発信器により発信された超音波信号を端末の内部から前記端末の表面に導出するように制御するステップは、
超音波発信器により発信された超音波信号を超音波信号チャンネルを経由して端末のサイドフレームと前記端末の表示モジュールのホルダーとの間のギャップに導通するように制御するステップと、
前記ギャップを経由して前記超音波信号を前記端末の表面に導通するステップと、を含む。
【００１１】
一実施例において、前記超音波エコー信号に基づいて前記端末がタッチされたか否かを決定するステップは、
前記超音波エコー信号の振幅値を決定するステップと、
前記超音波エコー信号の振幅値に基づいて前記超音波エコー信号のエネルギー値を決定するステップと、
前記エネルギー値に基づいて前記端末がタッチされたか否かを決定するステップと、を含む。
【００１２】
一実施例において、前記エネルギー値に基づいて前記端末がタッチされたか否かを決定するステップは、
前記エネルギー値を予め設定された閾値と比較するステップと、
前記エネルギー値が前記予め設定された閾値以上である場合に、前記端末がタッチされたと決定するステップと、
前記エネルギー値が前記予め設定された閾値よりも小さい場合に、前記端末が誤タッチされたと決定するステップと、を含む。
【００１３】
本発明の実施例に係る第３の態様によると、タッチ認識装置を提供し、前記タッチ認識装置は、
超音波発信器により発信された超音波信号を超音波信号チャンネルを経由して端末の内部から前記端末の表面に導出するように制御するように構成される、第１の制御モジュールと、
マイクロフォンが前記超音波信号の超音波エコー信号を受信させるように制御するように構成される、第２の制御モジュールと、
前記超音波エコー信号に基づいて前記端末がタッチされたか否かを決定するように構成される、決定モジュールと、を備える。
【００１４】
一実施例において、前記決定モジュールは、
前記超音波エコー信号の振幅値を決定するように構成される、第１の決定サブモジュールと、
前記第１の決定サブモジュールに決定された前記超音波エコー信号の振幅値に基づいて、前記超音波エコー信号のエネルギー値を決定するように構成される、第２の決定サブモジュールと、
前記第２の決定サブモジュールに決定された前記エネルギー値に基づいて、前記端末がタッチされたか否かを決定するように構成される、第３の決定サブモジュールと、を備える。
【００１５】
一実施例において、前記第３の決定サブモジュールは、具体的に、
前記エネルギー値を予め設定された閾値と比較し、
前記エネルギー値が前記予め設定された閾値以上である場合に、前記端末がタッチされたと決定し、
前記エネルギー値が前記予め設定された閾値よりも小さい場合に、前記端末が誤タッチされたと決定する、ように構成される。
【００１６】
本発明の実施例に係る第４の態様によると、電子機器を提供し、前記電子機器は、
プロセッサと、
プロセッサが実行可能な命令を記憶するためのメモリと、を備え、
前記プロセッサは、
超音波発信器により発信された超音波信号を超音波信号チャンネルを経由して端末の内部から前記端末の表面に導出するように制御し、
マイクロフォンが前記超音波信号の超音波エコー信号を受信させるように制御し、
前記超音波エコー信号に基づいて前記端末がタッチされたか否かを決定する、ように構成される。
【発明の効果】
【００１７】
本発明の技術案が提供する技術案は、以下の有益な効果を含み得る。
【００１８】
超音波エコー信号に基づいてタッチされたか否かを決定することで、誤タッチ防止を実現し、超音波発信器が端末の内部にあるため、端末の表面に穴を開けて超音波発信器を収容することを避けることができ、油汚れや塵埃がカバーガラスの表面に付着する場合に、油汚れや塵埃の穴への入りがタッチ動作の認識に影響することがなく端末の外観の設計に美感を向上させることを確保できる。
【００１９】
上記の一般的なな記述と以下の詳細な説明は、例示的かつ説明的なものであり、本発明を制限するものではないと、理解するべきである。
【図面の簡単な説明】
【００２０】
添付の図面は、本明細書に組み込まれ、本明細書の一部を構成するものであり、本開示と一致する実施形態を示し、記載内容と共に本開示の原理を説明する役割を果たす。
【図１Ａ】例示的な一実施例による端末を示す部分斜視構成図である。
【図１Ｂ】図１Ａに示す実施例における第１の穴の端末での位置の模式図である。
【図２Ａ】例示的な他の実施例による端末を示す部分斜視構成図である。
【図２Ｂ】図２Ａに示す実施例における端末の部分斜視構成図である。
【図３】例示的な一実施例によるタッチ認識方法のフローを示す模式図である。
【図４】例示的な他の実施例によるタッチ認識方法のフローを示す模式図である。
【図５】例示的な一実施例によるタッチ認識装置の構成を示す模式図である。
【図６】例示的な他の実施例によるタッチ認識装置の構成を示す模式図である。
【図７】例示的な一実施例による電子機器を示すブロック図である。
【発明を実施するための形態】
【００２１】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。むしろ、それらは、添付の特許請求の範囲において詳細に記述された、本発明のいくつかの態様と一致する装置、及び方法の例に過ぎない。
【００２２】
図１Ａは、例示的な一実施例に係る端末を示す部分斜視構成図であり、図１Ｂは、図１Ａに示す実施例における第１の穴の端末での位置の模式図であり、端末１０は、タッチ機能を有する電子機器であってもよく、電子機器は、例えばスマートフォン、タブレット・コンピュータ等であり、図１Ａ及び図１Ｂに示すように、当該端末１０は、超音波発信器１１と、超音波信号チャンネル及びマイクロフォン（図示せず）を備える。
【００２３】
超音波発信器１１に発信された超音波信号は、超音波信号チャンネルを経由して端末の内部から端末１０の表面に導出され、マイクロフォン１３１及びマイクロフォン１３２は、超音波信号の超音波エコー信号を収集し、かつ超音波エコー信号に基づいて端末１０がタッチされたか否かを決定することができる。
【００２４】
一実施例において、マイクロフォン１３１及びマイクロフォン１３２の具体的な設置は、関連技術での設計を参照することができ、本発明は、マイクロフォン１３１及びマイクロフォン１３２がある第１の穴での位置への設計を詳しく説明しないが、第１の穴の数量は、端末１０の実際的な設計要求によって決定することができ、本発明は、第１の穴の数量を限定しない。
【００２５】
一実施例において、超音波信号は、周波数が設定された超音波信号であってもよく、当該設定された周波数は、端末１０の表面を透過できるバンド範囲であり、例えば、４０ｋｈｚ〜６０ｋｈｚであり、これにより、超音波信号が遮られるため、超音波エコー信号を端末１０のマイクロフォン１３１及びマイクロフォン１３２に反射し、マイクロフォン１３１及びマイクロフォン１３２が対応する信号処理回路は、超音波エコー信号に基づいて端末１０がタッチされたか否かを決定することができ、端末１０がタッチされた場合に、信号処理回路は、端末１０のプロセッサに誤タッチ命令を発信し、プロセッサは、端末１０がタッチ動作への応答を禁止させるように制御することができる。
【００２６】
本実施例において、超音波発信器１１により超音波信号を発信し、超音波信号は、端末１０の表面を直接的に透過することができ、端末１０の表面がマスクがされた場合に、超音波信号が遮られるため、超音波エコー信号を端末１０のマイクロフォン１３１及びマイクロフォン１３２に反射し、マイクロフォン１３１及びマイクロフォン１３２が対応する信号処理回路は、超音波エコー信号に基づいてタッチされたか否かを決定することにより、誤タッチの判断を実現する。超音波発信器１１が端末１０の内部にあるため、端末１０の表面に穴を開けて超音波発信器１１を収容することを避けることができ、油汚れや塵埃がカバーガラス１４の表面に付着する場合に、油汚れや塵埃が穴に入ってタッチ動作への認識に影響することがなく、かつ端末１０の外観の設計に美感を向上させることを確保できる。
【００２７】
図２Ａは、例示的な他の実施例に係る端末を示す部分斜視構成図であり、図２Ｂは、図２Ａに示す実施例における端末の部分斜視構成図である。本実施例は、本発明実施例に提供された上述の装置を利用し、電子機器の内部に超音波信号チャンネルを設置することを例として例示的に説明し、図２Ａ及び図２Ｂに示すように、上述の図１Ａ及び図１Ｂに示す実施例に基づき、装置は、パッド１４、サイドフレーム１５、プリント配線基板１６及び表示モジュール１７を更に備え、サイドフレーム１４は、端末１０の一側（図２Ａに示す上側）に設置され、パッド１４に超音波信号チャンネルが開けて設けられ、超音波信号チャンネルは、超音波発信器１１の位置からサイドフレーム１５に延在し、図２Ａに示す破線矢印１２が指す方向のように、超音波信号チャンネルを経由して予定の方向に沿って超音波信号を伝導することができ、これにより、超音波信号が端末１０の表面に導通することを確保することができる。
【００２８】
一実施例において、超音波信号チャンネルは、パッド１４が第２の穴を開けて形成され、パッド１４の一つの側面は、プリント配線基板１６に貼り合せ、パッド１４の他の側面は、表示モジュール１７に貼り合せる。一実施例において、パッド１４と表示モジュール１７との間にフォーム１８を充填することができ、フォーム１８により表示モジュール１７のパッド１４への押出を緩和することができる。
【００２９】
一実施例において、パッド１４は、超音波発信器１１の位置に収容チャンバ１４１を開設し、収容チャンバ１４１は、超音波発信器１１を収容するためのものであり、収容チャンバ１４１の形状は、超音波発信器１１の形状と一致することができ、収容チャンバ１４１の底部１４２と超音波発信器１１との間に一定のスペースを保留することができ、超音波伝感器１１と収容チャンバ１４１との間には、スペースがコンパクト化しすぎるため、超音波伝感器１１に押出することを避けることができる。
【００３０】
一実施例において、サイドフレーム１５と表示モジュール１７のホルダー１７１との間、及びサイドフレーム１５と端末１０のカバーガラス１４の端部との間に、ギャップが形成され（図２Ｂに示す破線矢印２０に示すように）、超音波信号チャンネルとギャップとは連通する。超音波発信器１１が超音波信号を発信する場合に、超音波信号は、破線矢印１２及び破線矢印２０が指す方法に沿ってカバーガラス１９の表面に導出されることができる。
【００３１】
一実施例において、ギャップの幅は、０．０１ｍｍ〜０．０４ｍｍであってもよく、例えば、０．０２ｍｍであり、サイドフレーム１５とカバーガラス１９との間に小さいギャップを保留することにより、端末１０の外観形状に影響しなく超音波信号を端末１０の表面によりよく射出することを確保する。
【００３２】
例示的なシーンにおいて、例えば、ユーザは、端末１０により通話し、通話過程において、端末１０のプロセッサは、ユーザが通話状態かつ手持ち状態（イヤホンを差し込んで通話する状態ではない）であることを検出し、この時、プリント配線基板１６に固定されているプロセッサ（図示せず）は、超音波発信器１１が、バンドが設定された超音波信号を発信させるように制御し、超音波信号チャンネルを経由して超音波信号をサイドフレーム１５とカバーガラス１９との間のギャップに屈折し、さらに超音波信号を端末１０の外側に発信する。顔がカバーガラス１９に近づけるため、超音波信号を反射し、これにより、超音波信号の超音波エコー信号を端末１０のマイクロフォン１３１及びマイクロフォン１３２に反射することができ、マイクロフォン１３１及びマイクロフォン１３２が超音波エコー信号を受信した後、マイクロフォン１３１及びマイクロフォン１５２が対応する信号処理回路によって当該超音波エコー信号が顔の遮蔽により生じるか、超音波信号が空中での放射により生じるかを決定し、通常に顔の遮蔽による超音波エコー信号の強度は、空中での放射による超音波エコー信号によりもはるかに高いため、本発明によれば顔に近づけカバーガラス１９を検出することができ、プロセッサが誤タッチ防止機能をオンにし、通話過程において顔がカバーガラス１９に近づけたことにより生じるタッチ動作を応答することを禁止する。
【００３３】
当業者が理解できるように、端末１０をユーザのポケットまたはカバンに放置する場合に、同様に本発明によりタッチ動作への検出を実現し、またこの場合にタッチ動作への応答を禁止することができる。
【００３４】
本実施例において、端末１０内部の超音波信号チャンネルを経由して超音波信号をカバーガラス１９とサイドフレーム１５との間に形成されたギャップに導通し、さらに当該ギャップを経由してカバーガラス１９を通し、顔または髪が近づける場合に、超音波信号の超音波エコー信号を端末１０のマイクロフォンに反射することができ、さらに超音波エコー信号が顔または髪がカバーガラス１９に近づけることにより生じたか否かを認識することにより、誤タッチ防止の機能を実現する。
【００３５】
図３は、例示的な一実施例に係るタッチ認識方法のフローを示す模式図であり、図３に示すように、タッチ認識方法は、以下のステップを含む。
【００３６】
ステップ３０１において、超音波発信器により発信された超音波信号を超音波信号チャンネルを経由して端末の内部から前記端末の表面に導出するように制御し、
ステップ３０２において、マイクロフォンが超音波信号の超音波エコー信号を受信させるように制御し、
ステップ３０３において、超音波エコー信号に基づいて端末がタッチされたか否かを決定する。
【００３７】
図４は、例示的な他の実施例に係るタッチ認識方法のフローを示す模式図であり、図４に示すように、タッチ認識方法は、以下のステップを含む。
ステップ４０１において、超音波発信器により発信された超音波信号を超音波信号チャンネルを経由して端末のサイドフレームと端末の表示モジュールのホルダーとの間のギャップに導通するように制御し、
ステップ４０２において、ギャップを経由して超音波信号を端末の表面に導通し、
ステップ４０４において、マイクロフォンが超音波信号の超音波エコー信号を受信させるように制御し、
ステップ４０５において、超音波エコー信号に基づいて端末がタッチされたか否かを決定する。
【００３８】
ステップ４０５は、以下のステップを具体的に含んでも良い。
エネルギー値を予め設定された閾値と比較するステップと、
エネルギー値が予め設定された閾値以上である場合に、端末がタッチされたと決定するステップと、
エネルギー値が予め設定された閾値によりも小さい場合に、端末が誤タッチされたと決定するステップ。
【００３９】
上述の実施例における方法フローについて、各実行ステップの具体的な態様は、センサー装置に係る実施例に詳しく説明され、ここで詳しく説明しない。
【００４０】
図５は、例示的な一実施例に係るタッチ認識装置の構成を示す模式図であり、図５に示すように、タッチ認識装置は、
超音波発信器により発信された超音波信号を超音波信号チャンネルを経由して端末の内部から端末の表面に導出するように制御するように構成される、第１の制御モジュール５１と、
マイクロフォンが超音波信号の超音波エコー信号を受信させるように制御するように構成される、第２の制御モジュール５２と、
超音波エコー信号に基づいて、端末がタッチされたか否かを決定するように構成される、決定モジュール５３と、を備える。
【００４１】
図６は、例示的な他の実施例に係るタッチ認識装置の構成を示す模式図であり、図６に示すように、上述の図５に示す実施例に基づき、決定モジュール５３は、
超音波エコー信号の振幅値を決定するように構成される、第１の決定サブモジュール５３１と、
第１の決定サブモジュール５３１により決定された超音波エコー信号の振幅値に基づいて超音波エコー信号のエネルギー値を決定するように構成される、第２の決定サブモジュール５３２と、
第２の決定サブモジュール５３２により決定されたエネルギー値に基づいて、端末がタッチされたか否かを決定するように構成される、第３の決定サブモジュール５３３と、を備えても良い。
【００４２】
一実施例において、第３の決定サブモジュール５３３は、具体的に：
エネルギー値を予め設定された閾値と比較し、
エネルギー値が予め設定された閾値以上である場合に、端末がタッチされたと決定し、
エネルギー値が予め設定された閾値よりも小さい場合に、端末が誤タッチされたと決定する、ように構成される。
【００４３】
上述の実施例における装置について、各モジュールが操作を実行する具体的な態様は、当該方法に係る実施例に詳しく説明され、ここで詳しく説明しない。
【００４４】
図７は、例示的な一実施例に係るタッチ認識装置を実現するための装置を示すブロック図である。例えば、装置７００は、携帯電話、コンピュータ、デジタル放送端末、メッセージ送受信デバイス、ゲームコンソール、タブレットデバイス、医療機器、フィットネス機器、パーソナルデジタルアシスタント等の電子機器であってもよい。
【００４５】
図７を参照して、装置７００は、プロセス部７０２、メモリ７０４、電源部７０６、マルチメディア部７０８、オーディオ部７１０、入出力（Ｉ／Ｏ）インターフェイス７１２、センサ部７１４、及び通信部７１６のような一つ以上の部を含んでよい。
【００４６】
プロセス部７０２は、一般的には装置７００の全体の動作を制御するものであり、例えば、表示、電話呼び出し、データ通信、カメラ動作、及び記録動作と関連する動作を制御する。プロセス部７０２は、一つ以上のプロセッサ７２０を含み、これらによって命令を実行することにより、上記の方法の全部、或は一部のステップを実現するようにしてもよい。なお、プロセス部７０２は、一つ以上のモジュールを含み、これらによってプロセス部７０２と他の部の間のインタラクションを容易にするようにしてもよい。例えば、プロセス部７０２は、マルチメディアモジュールを含み、これらによってマルチメディア部７０８とプロセス部７０２の間のインタラクションを容易にするようにしてもよい。
【００４７】
メモリ７０４は、各種類のデータを記憶することにより装置７００の動作を支援するように構成される。これらのデータの例は、装置７００において動作するいずれのアプリケーションプログラム又は方法の命令、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、スタティックランダムアクセスメモリ（ＳＲＡＭ、Ｓｔａｔｉｃ  Ｒａｎｄｏｍ  Ａｃｃｅｓｓ  Ｍｅｍｏｒｙ）、電気的消去可能プログラマブル読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、消去可能プログラマブル読み出し専用メモリ（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、読み出し専用メモリ（ＲＯＭ、Ｒｅａｄ  Ｏｎｌｙ  Ｍｅｍｏｒｙ）、磁気メモリ、フラッシュメモリ、磁気ディスク、或いは光ディスクである。
【００４８】
電源部７０６は、装置７００の多様な構成要素に電力を供給する。電源部７０６は、電源管理システム、一つ以上の電源、及び装置７００のための電力の生成、管理及び割り当てに関連付けられている他の要素を含んでもよい。
【００４９】
マルチメディア部７０８は、前記装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディア部７０８は、一つのフロントカメラ、及び／又はリアカメラを含む。装置７００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００５０】
オーディオ部７１０は、オーディオ信号を入出力するように構成されてもよい。例えば、オーディオ部７１０は、一つのマイク（ＭＩＣ）を含み、装置７００が、例えば呼出しモード、記録モード、及び音声認識モード等の動作モードにある場合、マイクは外部のオーディオ信号を受信することができる。受信されたオーディオ信号は、さらにメモリ７０４に記憶されたり、通信部７１６を介して送信されたりする。上記の実施例において、オーディオ部７１０は、オーディオ信号を出力するための一つのスピーカーをさらに含む。
【００５１】
Ｉ／Ｏインターフェイス７１２は、プロセス部７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【００５２】
センサ部７１４は、装置７００に各種の状態に対する評価を提供するための一つ以上のセンサを含む。例えば、センサ部７１４は、装置７００のＯＮ／ＯＦＦ状態、装置７００のディスプレイとキーパッドのような構成要素の相対的な位置決めを検出できる。また、例えば、センサ部７１４は、装置７００、或は装置７００の一つの部の位置変更、ユーザと装置７００とが接触しているか否か、装置７００の方位、又は加速／減速、装置７００の温度の変化を検出できる。センサ部７１４は、何れの物理的接触がない状態にて付近の物体の存在を検出するための近接センサを含んでもよい。センサ部７１４は、撮影アプリケーションに適用するため、ＣＭＯＳ、又はＣＣＤ画像センサのような光センサを含んでもよい。上記の実施例において、当該センサ部７１４は、加速度センサ、ジャイロスコープセンサ、磁気センサ、圧力センサ、及び温度センサをさらに含んでもよい。
【００５３】
通信部７１６は、装置７００と他の機器の間に有線、又は利便性のよい形態の通信を提供する。装置７００は、例えばＷｉＦｉ、２Ｇ、３Ｇ、或はこれらの組み合わせのような、通信規格に基づいた無線ネットワークに接続されてもよい。一つの例示的な実施例において、通信部７１６は、放送チャンネルを介して外部の放送管理システムからの放送信号、又は放送に関連する情報を受信する。一つの例示的な実施例において、前記通信部７１６は、近距離無線通信（ＮＦＣ）モジュールをさらに含むことにより、近距離通信を可能にする。例えば、ＮＦＣモジュールは、無線周波数認識（ＲＦＩＤ、Ｒａｄｉｏ Ｆｒｅｑｕｅｎｃｙ ＩＤｅｎｔｉｆｉｃａｔｉｏｎ）技術、赤外線データ結合（ＩｒＤＡ、Ｉｎｆｒａｒｅｄ Ｄａｔａ Ａｓｓｏｃｉａｔｉｏｎ）技術、超広帯域（ＵＷＢ、Ｕｌｔｒａ Ｗｉｄｅ Ｂａｎｄ）技術、ブルートゥース（ＢＴ、Ｂｌｕｅｔｏｏｔｈ）（登録商標）技術、及び他の技術に基づいて実現できる。
【００５４】
例示的な実施例において、装置７００は、一つ以上の特定用途向け集積回路（ＡＳＩＣ、Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ、Ｄｉｇｉｔａｌ Ｓｉｇｎａｌ Ｐｒｏｃｅｓｓｏｒ）、デジタル信号処理デバイス（ＤＳＰＤ、Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ、Ｐｒｏｇｒａｍｍａｂｌｅ Ｌｏｇｉｃ Ｄｅｖｉｃｅ）、フィールドプログラマブルゲートアレイ（ＦＰＧＡ、Ｆｉｅｌｄ-Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、タッチ認識方法を実現し、前記タッチ認識方法は、以下のステップを含む。
超音波発信器により発信された超音波信号を超音波信号チャンネルを経由して端末の内部から端末の表面に導出するように制御するステップと、
マイクロフォンが超音波信号の超音波エコー信号を受信させるように制御するステップと、
超音波エコー信号に基づいて端末がタッチされたか否かを決定するステップ。
【００５５】
例示的な実施例において、さらに、命令を含むコンピュータ読取り可能な非一時的な記録媒体、例えば命令を含むメモリ７０４を提供しており、例えば、コンピュータ読取り可能な非一時的な記録媒体は、ＲＯＭ、ＲＡＭ、ＣＤ-ＲＯＭ、磁気テープ、フロッピーディスク、光データ記憶デバイス等である。装置７００のプロセッサ７２０により上記命令を実行して上記方法を実現し、前記方法は、以下のステップを含む。
超音波発信器により発信された超音波信号を超音波信号チャンネルを経由して端末の内部から端末の表面に導出するように制御し、
マイクロフォンが超音波信号の超音波エコー信号を受信させるように制御し、
超音波エコー信号に基づいて端末がタッチされたか否かを決定する。
【００５６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００５７】
本発明は上記に記述され、また図面で示した構成に限定されず、その範囲を逸脱しない限り多様な修正及び変更を行うことができると、理解されるべきである。本発明の範囲は添付の特許請求の範囲のみにより限定される。
【図１Ａ】
2019537777.tif 000003
【図１Ｂ】
2019537777.tif 000004
【図２Ａ】
2019537777.tif 000005
【図２Ｂ】
2019537777.tif 000006
【図３】
2019537777.tif 000007
【図４】
2019537777.tif 000008
【図５】
2019537777.tif 000009
【図６】
2019537777.tif 000010
【図７】
2019537777.tif 000011
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
端末であって、
前記端末は、超音波発信器、超音波信号チャンネル及びマイクロフォンを備え、
前記超音波発信器は、前記端末の内部に設置され、前記端末のサイドフレームに第１の穴が設置され、前記第１の穴は、前記マイクロフォンを収容するためのものであり、
前記超音波発信器により発信された超音波信号は、前記超音波信号チャンネルを経由して前記端末の内部から前記端末の表面に導出され、
前記マイクロフォンは、前記超音波信号の超音波エコー信号を収集し、かつ前記超音波エコー信号に基づいて前記端末がタッチされたか否かを決定する、
ことを特徴とする端末。
【請求項２】
前記端末は、パッドと、サイドフレームと、プリント配線基板と、表示モジュールとをさらに備え、
前記サイドフレームは、前記端末の一側に設置され、
前記超音波信号チャンネルは、前記パッドに第２の穴を開けて形成され、前記超音波信号チャンネルは、前記超音波発信器が位置する位置から前記サイドフレームに延在し、
前記パッドの一方の側面は、前記プリント配線基板に貼り合せ、前記パッドの他方の側面は、前記表示モジュールに貼り合せる、
ことを特徴とする請求項１に記載の端末。
【請求項３】
前記パッドには、前記超音波発信器が位置する位置に収容チャンバが開けて設けられ、前記収容チャンバは、前記超音波発信器を収容するためのものであり、前記収容チャンバの形状は、前記超音波発信器の形状と一致する、
ことを特徴とする請求項２に記載の端末。
【請求項４】
前記サイドフレームと前記表示モジュールのホルダーとの間、及び前記サイドフレームと前記端末のカバーガラスの端部との間にギャップが形成され、前記超音波信号チャンネルは、前記ギャップと連通する、
ことを特徴とする請求項２または３に記載の端末。
【請求項５】
前記ギャップの幅は、０．０１ｍｍ〜０．０４ｍｍである、
ことを特徴とする請求項４に記載の端末。
【請求項６】
タッチ認識方法であって、
前記方法は、
超音波発信器により発信された超音波信号を超音波信号チャンネルを経由して端末の内部から前記端末の表面に導出するように制御するステップと、
マイクロフォンが前記超音波信号の超音波エコー信号を受信するように制御するステップと、
前記超音波エコー信号に基づいて前記端末がタッチされたか否かを決定するステップと、を含む、
ことを特徴とするタッチ認識方法。
【請求項７】
前記超音波発信器により発信された超音波信号を超音波信号チャンネルを経由して前記端末の内部から前記端末の表面に導出するように制御するステップは、
超音波発信器により発信された超音波信号を超音波信号チャンネルを経由して端末のサイドフレームと前記端末の表示モジュールのホルダーとの間のギャップに導通するように制御するステップと、
前記ギャップを経由して前記超音波信号を前記端末の表面に導通するステップと、を含む、
ことを特徴とする請求項６に記載の方法。
【請求項８】
前記超音波エコー信号に基づいて前記端末がタッチされたか否かを決定するステップは、
前記超音波エコー信号の振幅値を決定するステップと、
前記超音波エコー信号の振幅値に基づいて前記超音波エコー信号のエネルギー値を決定するステップと、
前記エネルギー値に基づいて前記端末がタッチされたか否かを決定するステップと、を含む、
ことを特徴とする請求項６または７に記載の方法。
【請求項９】
前記エネルギー値に基づいて前記端末がタッチされたか否かを決定するステップは、
前記エネルギー値を予め設定された閾値と比較するステップと、
前記エネルギー値が前記予め設定された閾値以上である場合に、前記端末がタッチされたと決定するステップと、
前記エネルギー値が前記予め設定された閾値よりも小さい場合に、前記端末が誤タッチされたと決定するステップと、を含む、
ことを特徴とする請求項８に記載の方法
【請求項１０】
タッチ認識装置であって、
前記装置は、
超音波発信器により発信された超音波信号を超音波信号チャンネルを経由して端末の内部から前記端末の表面に導出するように制御するように構成される、第１の制御モジュールと、
マイクロフォンが前記超音波信号の超音波エコー信号を受信するように制御するように構成される、第２の制御モジュールと、
前記超音波エコー信号に基づいて前記端末がタッチされたか否かを決定するように構成される、決定モジュールと、を備える、
ことを特徴とするタッチ認識装置。
【請求項１１】
前記決定モジュールは、
前記超音波エコー信号の振幅値を決定するように構成される、第１の決定サブモジュールと、
前記第１の決定サブモジュールにより決定された前記超音波エコー信号の振幅値に基づいて、前記超音波エコー信号のエネルギー値を決定するように構成される、第２の決定サブモジュールと、
前記第２の決定サブモジュールにより決定された前記エネルギー値に基づいて、前記端末がタッチされたか否かを決定するように構成される、第３の決定サブモジュールと、を備える、
ことを特徴とする請求項１０に記載の装置。
【請求項１２】
前記第３の決定サブモジュールは、具体的に、
前記エネルギー値を予め設定された閾値と比較し、
前記エネルギー値が前記予め設定された閾値以上である場合に、前記端末がタッチされたと決定し、
前記エネルギー値が前記予め設定された閾値よりも小さい場合に、前記端末が誤タッチされたと決定する、ように構成される、
ことを特徴とする、請求項１１に記載の装置。
【請求項１３】
電子機器であって、前記電子機器は、
プロセッサと、
プロセッサが実行可能な命令を記憶するためのメモリと、を備え、
前記プロセッサは、
超音波発信器により発信された超音波信号を超音波信号チャンネルを経由して端末の内部から前記端末の表面に導出するように制御し、
マイクロフォンが前記超音波信号の超音波エコー信号を受信するように制御し、
前記超音波エコー信号に基づいて前記端末がタッチされたか否かを決定する、ように構成される、ことを特徴とする、電子機器。
【請求項１４】
コンピュータで実行されるときに、請求項６〜９のいずれか一項に記載のタッチ認識方法を、コンピュータに実行させるためのコンピュータプログラム。
【国際調査報告】
2019537777.tif 000012
2019537777.tif 000013
2019537777.tif 000014
2019537777.tif 000015
2019537777.tif 000016
2019537777.tif 000017